(57)【特許請求の範囲】
【請求項１】
合成樹脂製運搬用容器の外側面の両側縁寄りにカード差し保護用の一対の縦リブを一体に形成し、該縦リブの間であって該合成樹脂製運搬用容器の外側面の下方部分に該外側面から起立し下向に折曲した一対の鉤状係合片を一体に形成し、該縦リブの上端部を外方折曲状に形成することにより前記鉤状係合片の上方両側部位に位置する段状係合部を一体に形成し、カード差しは弾性合成樹脂により額縁状に形成するとともに該カード差しを前方に弓形に湾曲した硬弾性の曲面形状に形成し、該カード差しの下辺両端部および上辺両端部に夫々係合用突片を一体に形成し、該カード差しの下辺両端部に形成された係合用突片を前記鉤状係合片６の内側に下方から挿入して係合することで、該カード差しをその弾性により該合成樹脂製運搬用容器の外側面に当接させるとともに該カード差しの上辺両端部に形成された係合用突片が前記段状係合部上に該段状係合部の上面と接近状態で位置するようにしたことを特徴とするカード差しの取付構造。
【発明の詳細な説明】
【０００１】
【発明の属する技術分野】
本発明は、運搬用容器にその収容物の名称や属性，ロット番号，バーコード等が表示されたカードを着脱自在に差せるようにするために設けられるカード差しの取付構造に関するものである。
【０００２】
【従来の技術】
組立工場や配送場等において使用される合成樹脂製の運搬用容器では、その収容物の名称や属性，ロット番号，バーコード等が表示されたカードを着脱自在に差せるようにするために、従来から容器外側面に弾性合成樹脂製製のカード差しが取り付けられている。
【０００３】
このカード差しを運搬用容器の外側面に取り付ける手段としては、熱融着による方法、および、カード差しの上部に形成された係合部を容器の上部フランジに形成された係合孔に係合させてカード差しを吊下支持する構造、および、カード差しの上部に形成された係合部を容器外側面の下部フランジとその上部に一体に突設された係合片により挟着する構造等があった。
【０００４】
しかしながら上記熱融着による方法は、強度にむらが出て取付強度が安定せず、取付作業に時間を要する欠点があるほか、一旦取り付けると破損しても交換できない欠点がある。また、吊下支持方式のカード差しは、特に大きなカード差しでは吊下によっては安定的に支持されない欠点があるほか、下辺部にてヘアピン状に折り返す構造を採らざるを得ないのでカード差しの肉厚が厚くなり容器を積み重ねる（ネスティングする）場合にその厚さが邪魔になる欠点がある。また、下部フランジを使用してカード差しを取り付ける構造では、下部フランジを具備しないで積み重ねを可能としている容器には適用できないという問題がある。
【０００５】
【発明が解決しようとする課題】
そこで本発明は上記従来のカード差しの取付構造を改変することにより、カード差しをワンタッチで着脱することができ、取付，交換が容易であるとともに、薄く構成できて容器の積み重ねにも支障が無く、また、大きなカードでも安定的に支持できるなど、種々の利点を備えたカード差しの取付構造を提供しようとするものである。
【０００６】
【課題を解決するための手段】
そのために本発明に係るカード差しの取付構造は、合成樹脂製運搬用容器の外側面の両側縁寄りにカード差し保護用の一対の縦リブを一体に形成し、該縦リブの間であって該合成樹脂製運搬用容器の外側面の下方部分に該外側面から起立し下向に折曲した一対の鉤状係合片を一体に形成し、該縦リブの上端部を外方折曲状に形成することにより前記鉤状係合片の上方両側部位に位置する段状係合部を一体に形成し、カード差しは弾性合成樹脂により額縁状に形成するとともに該カード差しを前方に弓形に湾曲した硬弾性の曲面形状に形成し、該カード差しの下辺両端部および上辺両端部に夫々係合用突片を一体に形成し、該カード差しの下辺両端部に形成された係合用突片を前記鉤状係合片６の内側に下方から挿入して係合することで、該カード差しをその弾性により該合成樹脂製運搬用容器の外側面に当接させるとともに該カード差しの上辺両端部に形成された係合用突片が前記段状係合部上に該段状係合部の上面と接近状態で位置するようにしたことを特徴とする。
【０００７】
【発明の実施の形態】
次に図面に従い本発明の実施の形態を説明する。図１は本発明に係る合成樹脂製運搬用容器の斜視図、図２はこの容器のＡ−Ａ線断面図である。この実施形態に示した容器１は、内側面にポケット部２が形成され、外側面に支脚部３が形成され、該支脚部３が上部フランジ４上に乗ることでこの容器１上にさらにもう１つの容器を積み上げられるとともに、上段の容器を水平面内で１８０度回転させて乗せれば下段の容器のポケット部２中に上段の容器の支脚部３が収容されることで空容器を嵩張らずに返送できるいわゆるスタッキング・ネスティング可能な容器（以下、ＳＮ容器という。）である。なお、上部フランジ４の短側壁側下面には持ち運び時に手を掛け易くするために窪み５が形成される。ちなみにこの窪み５は射出成形用金型における下方への抜型により形成される。
【０００８】
しかして、容器１の短側壁の外側面の下方部分に該外側面から起立し下向に折曲した一対の鉤状係合片６を一体に形成する。なおこの鉤状係合片６も上記窪み５と同じく下方への抜型により形成される。７は該鉤状係合片６に形成された透孔で、該透孔７はこの下方への抜型と直交する側方への抜き型により形成される。また、８は該短側壁の外側面の両側縁寄りに一体に形成されたカード差し保護用の縦リブで、該縦リブの上端部を外方に水平折曲状に形成することにより段状係合部９を形成している。なお、１０は該段状係合部９の折曲縁にて上方に突設された止片である。
【０００９】
一方、カード差し１５は、ポリプロピレン等の合成樹脂により額縁状に成形されるもので、図３に示したように、その下辺１６は上縁部にリブ１７を形成することで剛性に成形され、該下辺１６の両端部にはさらに下縁部にリブ１８を形成することにより剛性に成形された係合用突片１９が延設される。また、該係合用突片１９の表面には小突起２０が一体に形成される。２１は下辺１６の中央部に上向起立状に形成された弾性挟持片である。また該下辺１６の両端部には上方に延びさらに外方に延びる連結辺２２が形成され該連結辺の外端部より上方に延びる縦辺２３が形成される。該縦辺２３は、図４に示されるように、僅かながら前方に弓形に湾曲した硬弾性の曲面形状に成形される。また、上辺２４は該両縦辺２３の上部前縁を結ぶように水平直線板状に形成されたもので、その断面形状は上部にて前方傾斜状のガイド部２５が形成される。また、２６は上辺２４の両端部に一体に形成された係合用突片、２７は該係合用突片の先端部下縁に突設された突起である。
【００１０】
このカード差し１５を容器１に取り付けるに際しては、係合用突片１９を鉤状係合片６の内側に下方から挿入し、小突起２０を透孔７に嵌合させて係合する。そうするとこのカード差し１５の連結辺２２，縦辺２３等の弾性により係合用突片２６が段状係合部９上に位置するようになる。図５〜図７にこの取付状態を示す。このように、カード差し１５は、係合用突片１９が鉤状係合片６に係合すると同時に、係合用突片２６が段状係合部９上に位置することから、該カード差し１５は上方にも下方にもずれることなく止着される。なお、小突起２０の透孔７への嵌合を確実にすれば、たとえ段状係合部９上に位置する係合用突片２６を形成しなくても下方にもずれることなく取付が可能であるが、係合用突片２６を形成することで取付状態はより確実になり外力によって外れるおそれも解消される。また、前記止片１０および突起２７はこれらを形成することで、このカード差し１５が変形した場合でも該係合用突片２６が段状係合部９上から脱落しないようにしている。
【００１１】
こうして容器１に取り付けられたカード差し１５には、図７に示したようにカード２８を上辺２４の内側に差し込み、弾性挟持片２１によって該カードを容器外側面との間に挟着させることにより、該カードの表面に印刷等によって表示された容器収容物の名称や属性，数量，ロット番号，バーコード等が該カード差しの額縁面内に表示されるようにする。
【００１２】
前記縦リブ８は、カード差し１５の取付高さより厚く形成することにより、この容器１をネスティングした場合に重合する両容器の側壁によって該カード差し１５が挟まれるのを防ぐことから、このカード差しが破損したりカードが皺になるのが防がれる。したがって特にＳＮ容器に表示されたカードのバーコードが読み取り不調となることを等を防ぐことができる。
【００１３】
なお、この実施形態に示したカード差しを他の構造の容器への取付も可能にするため、図８に例示したように、上記下辺１６や係合用突片２６等に熱融着のための止孔３０を併設することも可能である。
【００１４】
【発明の効果】
このように本発明によれば、合成樹脂製運搬用容器の外側面にカード差しをワンタッチで取り付けることができカード差しが破損した場合の取り替えも容易であるとともに、外力によっても外れ難く確実に取り付けることができる。また、薄く構成できて容器の外側面からの突出厚さが少ないので容器どうしを支障がなく積み重ねることができるとともに、大きなカードでも安定的に表示できるようになるなど有益な効果がある。
【図面の簡単な説明】
【図１】本発明に係る合成樹脂製運搬用容器の実施形態を示した斜視図。
【図２】図１のＡ−Ａ線断面図。
【図３】本発明に係るカード差しの実施形態を示した斜視図。
【図４】図３のカード差しの側面図。
【図５】本発明に係る合成樹脂製運搬用容器にカード差しを取り付けたときの斜視図。
【図６】図５のカード差しの正面図。
【図７】図６のＢ−Ｂ線断面図。
【図８】本発明に係るカード差しの他の実施形態を示した斜視図。
【符号の説明】
１      容器
６      鉤状係合片
７      透孔
８      縦リブ
９      段状係合部
１５    カード差し
１６    下辺
１９    係合用突片
２０    小突起
２１    弾性挟持片
２３    縦辺
２４    上辺
２６    係合用突片
【図１】
0004703064.tif 000002
【図２】
0004703064.tif 000003
【図３】
0004703064.tif 000004
【図４】
0004703064.tif 000005
【図５】
0004703064.tif 000006
【図６】
0004703064.tif 000007
【図７】
0004703064.tif 000008
【図８】
0004703064.tif 000009